(57)【要約】【課題】画像読取装置において、原稿置忘れを報知すべき人が装置近傍にいないにもかかわらず報知していることになり、環境性能上（目障りでない、うるさくない）好ましくない。【解決手段】原稿の画像を読み取る画像読取装置と、原稿が画像読取装置に残留していることを検知する残留検知手段と、使用者が装置付近に存在するかを検知する人体検知手段と、報知手段と、前記報知手段を通常動作させる第一の動作モードと、前記報知手段を前記第一の動作モードよりも小さい強度で動作させる第二のモードと、を有し、前記残留検知手段により原稿が残留していると判断される場合において、前記人体検知手段が使用者の検知が確定している場合は前記報知手段の少なくとも１つを前記第一のモードで動作させ、前記人体検知手段が使用者の検知が確定していない場合は前記報知手段を前記第二のモードで動作させる、または動作させないことを特徴とする。【選択図】図２
2020010176.tif 000002
【特許請求の範囲】
【請求項１】
原稿の画像を読み取る画像読取装置（画像読取装置１０００）と、
原稿が画像読取装置に残留していることを検知する残留検知手段（原稿有無検知センサ１４、原稿残留検知センサ１９、画像読取センサ２０８）と
使用者が装置付近に存在するかを検知する人体検知手段（人体検知センサ１０）と、
報知手段（原稿置忘れ報知ＬＥＤ２０５、スピーカー９０７）と、前記報知手段を通常動作させる第一の動作モードと、
前記報知手段を前記第一の動作モードよりも小さい強度で動作させる第二のモードと、
を有し、
前記残留検知手段により原稿が残留していると判断される場合において、
前記人体検知手段が使用者の検知が確定している場合は前記報知手段の少なくとも１つを前記第一のモードで動作させ、
前記人体検知手段が使用者の検知が確定していない場合は前記報知手段を前記第二のモードで動作させる、または動作させないことを特徴とする画像読取装置。
【請求項２】
操作部（９０４）からの設定によって前記人体検知手段が使用者の検知していない場合においても第一のモードで動作させることを特徴とする請求項１に記載の画像読取装置。
【請求項３】
前記報知手段は、発光部（原稿置忘れ報知ＬＥＤ２０５）、音声出力手段（スピーカー９０７）の少なくとも１つを示すことを特徴とする請求項１に記載の画像読取装置。
【発明の詳細な説明】
【技術分野】
【０００１】
本発明は、画像読取装置の原稿置忘れ報知制御に関する。
【背景技術】
【０００２】
複合機に装着される画像読取装置では、原稿の置き忘れ防止のために、原稿忘れを報知するための照明部をリーダー部に備えるものがある。また、各種の情報を音声報知するためのスピーカーを備えるものがある。加えて、近年の複合機では、ユーザが複合機に近接しているか否かを検知するための人体検知センサを備えるものがある。
【０００３】
特許文献１は、原稿置忘れ防止のため人体検知センサを用いて、ユーザへの報知と、照明部の眩しさの低減の両立のために、ユーザが複合機に近接していない時よりも近接している時の方が照明部を弱く発光させるという方法を開示している。
【先行技術文献】
【特許文献】
【０００４】
【特許文献１】特開２００９−１５４３４２号公報
【発明の概要】
【発明が解決しようとする課題】
【０００５】
しかしながら、特許文献１の方法を用いると、ユーザが複合機に近接していない時に照明部を強く発光させており、ともすると報知すべき対象がいない状況においても照明部を強発光させてしまっていることになる。また、報知手段がスピーカーだった場合も同様に報知すべき対象がいない状況においてもスピーカーから音声が出る状況になってしまう。
【０００６】
近年、オフィス環境などにおいて、複合機における環境性能（目障りでない、うるさくない）が求められている中、不必要に照明や音声による報知部材が動作し続けることは、オフィス環境の環境性能を著しく低下させかねないという課題がある。つまり、画像読取装置において、原稿置忘れを報知すべき人が装置近傍にいないにもかかわらず報知していることになり、環境性能上（目障りでない、うるさくない）好ましくない。
【課題を解決するための手段】
【０００７】
上記の課題を解決するために、本発明に係る画像読取装置は、
原稿の画像を読み取る画像読取装置と、
原稿が画像読取装置に残留していることを検知する残留検知手段と、
使用者が装置付近に存在するかを検知する人体検知手段と、
報知手段と、前記報知手段を通常動作させる第一の動作モードと、
前記報知手段を前記第一の動作モードよりも小さい強度で動作させる第二のモードと、
を有し、前記残留検知手段により原稿が残留していると判断される場合において、前記人体検知手段が使用者の検知が確定している場合は前記報知手段の少なくとも１つを前記第一のモードで動作させ、前記人体検知手段が使用者の検知が確定していない場合は前記報知手段を前記第二のモードで動作させる、または動作させないことを特徴とする。
【発明の効果】
【０００８】
本発明に係る画像読取装置によれば、報知すべき人が装置近傍にいないと確定した場合において、原稿置忘れの報知を停止する。以上の制御により、仮に原稿が装置に置き忘れた状態にあったとしても、それを通知すべき人がその場にいないならば、環境性能を優先させることによって装置と同一環境内において快適なオフィス環境を提供することができる。
【図面の簡単な説明】
【０００９】
【図１】原稿読取装置の一例を示すＡＤＦ１００と画像読取部２００の断面図
【図２】原稿読取装置の一例を示すブロック図
【図３】原稿読取装置の一例を示すＡＤＦ１００と画像読取部２００の斜視図
【図４】原稿読取装置の原稿有無検知制御のフローチャート
【図５】原稿読取装置の原稿残留有無検知制御のフローチャート
【図６】人体検知センサによる近傍に人がいないことの確定判断制御のフローチャート
【図７】原稿読取装置の原稿置忘れ報知制御のフローチャート
【図８】原稿読取装置のＲＡＭ８０３の内部構造
【発明を実施するための形態】
【００１０】
以下、本発明を実施するための形態について、図面を参照しながら説明する。
【実施例１】
【００１１】
図１は、本実施形態の自動原稿給紙部を含む画像読取装置の一例を示す断面図である。
【００１２】
本実施形態の画像読取装置１０００は、原稿の画像を読み取る画像読取部２００と、自動原稿給紙搬送装置部（以下、ＡＤＦ）１００を備えており、さらに図１には図示しないコントローラ部が接続されている。
【００１３】
＜画像読取部２００の構成例＞
画像読取部２００について、図１を参照しながら説明する。
【００１４】
画像読取部２００は、原稿台ガラス２０９上に設置された原稿について、光学スキャナユニット２０２を図１の矢印に示す副走査方向に一定速度で走査することで、原稿に記録された画像情報を１ラインずつに読み取る（固定読み）。また、ＡＤＦ１００上の原稿については、光学スキャナユニット２０２をＡＤＦ１００のリードローラ６の中心位置に来るように移動し、後述の方法で給紙搬送される原稿を、光学的に読み取る（流し読み）。
【００１５】
＜ＡＤＦ１００（自動原稿給紙部）の構成例＞
ＡＤＦ１００の動作について、図１を参照しながら説明する。
【００１６】
図１に示すＡＤＦ１００は、１枚以上の原稿シートで構成される原稿束Ｓを積載する原稿給紙トレイ３０と、原稿の搬送開始前に、原稿束Ｓが原稿給紙トレイ３０より突出して下流への進出を規制する分離パッド２１及び分離ローラ２と、給紙ローラ１とを有する。原稿給紙トレイ３０には原稿有無検知センサ１４があり、原稿給紙トレイ３０上の原稿の有無が判断できるようになっている。また原稿給紙トレイ３０には普通紙を最大１００枚積載することが可能である。給紙ローラ１は、原稿給紙トレイ３０に積載された原稿束Ｓの原稿面に落下して回転する。これにより、原稿束の最上面の原稿が給紙される。給紙ローラ１によって給送された原稿は、分離ローラ２と分離パッド２１の作用によって１枚に分離される。
【００１７】
分離ローラ２と分離パッド２１によって分離された原稿は、引き抜きローラ３により、レジストローラ４へ搬送され、レジストローラ４に原稿を突き当てられる。これにより原稿はループ状のたわみが形成され、原稿の搬送における斜行が解消される。レジストローラ４の下流側には、レジストローラ４を通過した原稿を表面流し読みガラス２０１方向へ搬送する給紙路が配置されている。
【００１８】
給紙路に送られた原稿は、読取上流ローラ５によって画像読取位置に搬送される。流し読みガラス２０１とリードローラ６の間を通過する際、原稿の表面は原稿照射用ＬＥＤ２０３ａ、２０３ｂで照射される。その反射光は、複数のミラー２０４ａ、２０４ｂ、２０４ｃで屈曲されながら、画像読取センサ２０８によって原稿の表面画像を１ラインずつ読み取られる。読取下流ローラ７により搬送された原稿は、原稿の表面画像のみを読み取る場合には排紙センサ１１を通過しながら排紙ローラ１２によって原稿排紙トレイ１３まで搬送される。原稿が原稿給紙トレイ３０上に複数枚有る場合には、最終原稿の読取及び原稿排紙トレイ１３への排紙が終了するまで前述した処理を繰り返す。
【００１９】
原稿の裏面画像も読み取る場合には、表面画像を読取、原稿の後端が排紙センサ１１を通過した後、排紙ローラ１２を抜ける前に原稿を停止させる。そして排紙ローラ１２を逆回転させることで、原稿をレジストローラ４へ向けて搬送し、前述した搬送と同じように搬送することで、原稿の裏面を読み取ることができる。さらに、裏面画像を読取完了後、原稿の後端が排紙センサ１１を通過した後、排紙ローラ１２を抜ける前に原稿を停止させ、再度原稿をレジストローラ４へ向けて搬送し、画像を読み取らずに原稿排紙トレイ１３まで搬送する。原稿が原稿給紙トレイ３０上に複数枚有る場合には、最終原稿の読取及び原稿排紙トレイ１３への排紙が終了するまで前述した処理を繰り返す。原稿が原稿排紙トレイ１３へ排紙された時に、原稿残留検知センサ１９によって、原稿が原稿排紙トレイ１３に放置されたままになっているか否かを判断する。原稿残留検知センサ１９によって、原稿が原稿排紙トレイ１３に放置されていることを検知したら、原稿置忘れ報知ＬＥＤ２０５が点灯することでユーザに原稿の置忘れを報知する。
【００２０】
＜ブロック図の説明＞
図２は、ＡＤＦを含む本実施形態の画像読取装置の制御部の構成例を示すブロック図である。
【００２１】
制御部３００は、中央演算処理装置であるＣＰＵ８０１（以降ＣＰＵ８０１）、リードオンリーメモリであるＲＯＭ８０２、ランダムアクセスメモリであるＲＡＭ８０３を備えている。ＲＯＭ８０２には、ＣＰＵ８０１の制御プログラムが格納されており、ＲＡＭ８０３には、ＣＰＵ８０１で使用する入力データや作業用データが格納される。また、ＣＰＵ８０１にはタイマー９０８が接続されており、制御のタイミングを管理している。
【００２２】
ＣＰＵ８０１には原稿搬送機能を実現するために、給紙ローラ１、分離ローラ２、引き抜きローラ３、レジストローラ４を回転駆動させる分離モータ８２０、読取上流ローラ５、リードローラ６、読取下流ローラ７、排紙ローラ１２を駆動させる読取モータ８２１が接続されている。ＣＰＵ８０１は分離モータ８２０を正転させることで給紙ローラ１、分離ローラ２、引き抜きローラ３、レジストローラ４を、原稿を下流へ送る方向へ回転させることができる。さらに、紙搬送路上の原稿端部を検知する分離後センサ１５、レジセンサ１７、リードセンサ１８、排紙センサ１１が接続されている。分離モータ８２０、読取モータ８２１はパルスモータであり、ＣＰＵ８０１は各モータの駆動パルス数を管理し、前述した搬送路上の各種センサによる原稿検知の状況と関連させることで、搬送中の原稿の位置を監視し、制御している。また、原稿排紙トレイ１３に原稿が残留していることを検知する原稿残留検知センサ１９も接続されており、原稿が原稿排紙トレイ１３に置忘れていると判断された場合、ＣＰＵ８０１は原稿置忘れ報知ＬＥＤ２０５を点灯する。もしくは、ＣＰＵ８０１はスピーカー９０７から警告音を出すように制御する。
【００２３】
ＣＰＵ８０１には、画像読取機能を実現するために、原稿照射用ＬＥＤ２０３、画像読取センサ２０８、が接続され、画像読取センサ２０８によって読み取られた画像データは、画像データは画像処理部８３３を介して画像処理を行い、画像メモリ９０６に格納される。
【００２４】
さらにＣＰＵ８０１には、画像読取部２００に対して原稿台カバーの役割として開閉可能に設けられたＡＤＦ１００部の開閉を検知するために、開閉検知センサ２１１が接続される。開閉検知センサ２１１は、画像読取装置１０００を斜め上から見た状態である図３に示すように、ＡＤＦ１００部の開閉に応じて動作するフラグ形状となっている。ＡＤＦ１００が画像読取部２００に対して１度以上開いた時点で、ＡＤＦ１００が開状態であると検知する。また原稿台ガラス２０９上に設置される原稿の副走査長を見るために、所定位置の原稿有無が分かる副走査長検知センサ２１２も接続される。
【００２５】
また、制御部３００は、操作部９０４を備えており、ユーザとのインターフェース制御は操作部９０４を介しＣＰＵ８０１によって行われる。
【００２６】
また、画像読取部２００には人体検知センサ１０を備えている。人体検知センサ１０は、赤外線を受光する赤外線センサがマトリクス状に配列された赤外線センサアレイである。人体検知センサ１０が人などから放射される赤外線を受光することによって、ＣＰＵ８０１は人の有無を検出する。なお、本実施形態では、人体検知センサ１０が人を検知する例について説明するが、赤外線を放射する物体であれば、この人体検知センサ１０で検知することができる。また、人体検知センサ１０は、上記した赤外線センサに限定しない。例えば、物体が画像形成装置に接近したことを検知できるセンサであれば、赤外線センサ以外のデバイス（光を検知する光センサ、物理力で変形するひずみセンサ、磁気を検知する磁気センサ、温度を検知する温度センサなど）であっても良い。
【００２７】
なお、上記の基本的な画像形成動作、および人体検知は一例であり、本発明は上記構成に限定されるものではない。
【００２８】
次に、図３、図４を用いて画像読取装置１０００に原稿が設置されたか否かを検知するＣＰＵ８０１の原稿有無検知制御について説明する。
【００２９】
＜原稿有無検知制御＞
原稿有無検知制御は、画像読取装置１０００の画像読取部２００の原稿台ガラス２０９上に設置された原稿と、ＡＤＦ１００の原稿給紙トレイ３０に設置された原稿と、に対し一定の周期で実行されている。
【００３０】
図４（ａ）は、ＣＰＵ８０１による画像読取部２００の原稿台ガラス２０９上に設置された原稿の有無検知制御のフローチャートであり、一定の周期で実行されている。
【００３１】
まず、ＣＰＵ８０１は、開閉検知センサ２１１によりＡＤＦ１００が開かれている状態から閉じた状態に遷移したか否かを判断する（Ｓ４０１）。Ｎｏならば、ＥＮＤへ遷移し制御終了。次回の周期で同様の制御を行う。Ｙｅｓならば、ＣＰＵ８０１は図８に記載のＲＡＭ８０３の原稿台ガラス２０９に関するＲＡＭデータの初期化を行う。具体的には、原稿台ガラス２０９の原稿有無状態に『０：無』を格納すると同時に、原稿台ガラス２０９の原稿残留有無状態に『０：無』を格納する（Ｓ４０２）。この初期化の理由は、ＡＤＦ１００が閉じられた際に、原稿台ガラス原稿有無検知処理を実施するので、その前に一度原稿台ガラス２０９の原稿有無状態の初期化を行う。加えて、原稿有無状態が初期化されているので、同時に原稿残留有無状態も初期化を行う。次に、ＣＰＵ８０１は原稿台ガラスに原稿が設置されたか否かを判断するために原稿台ガラス原稿有無検知処理を実施する（Ｓ４０３）。原稿台ガラス原稿有無検知処理は、光学モータ８２２を駆動させ、光学スキャナユニット２０２を使って原稿台ガラス上の原稿をスキャンすることによってサイズ検知を行うと共に原稿の有無を検知する。この処理により、原稿台ガラス上に原稿が設置されているかを判断する（Ｓ４０４）。Ｙｅｓならば、ＣＰＵ８０１は図８に記載のＲＡＭ８０３の原稿台ガラス２０９の原稿有無状態に『１：有』を格納する（Ｓ４０５）。Ｎｏならば、原稿台ガラス２０９の原稿有無状態に『０：無』を格納する（Ｓ４０６）。
【００３２】
次に、図４（ｂ）は、ＣＰＵ８０１によるＡＤＦ１００の原稿給紙トレイ３０上に設置された原稿の有無検知制御のフローチャートであり、図４（ａ）と同様に一定の周期で実行されている。
【００３３】
まず、ＣＰＵ８０１は、原稿有無検知センサ１４により原稿給紙トレイ３０上に原稿が設置されているか否かを判断する（Ｓ４１１）。Ｙｅｓならば、ＣＰＵ８０１は図８に記載のＲＡＭ８０３の原稿給紙トレイ３０の原稿有無状態に『１：有』を格納する（Ｓ４１２）。Ｎｏならば、原稿給紙トレイ３０の原稿有無状態に『０：無』を格納する（Ｓ４１３）。
【００３４】
次に、図５を用いて画像読取装置１０００に原稿が残留しているか否かを検知するＣＰＵ８０１の原稿残留有無検知制御について説明する。
【００３５】
＜原稿残留有無検知制御＞
原稿残留有無検知制御は、画像読取装置１０００の画像読取部２００の原稿台ガラス２０９上に設置された原稿と、ＡＤＦ１００の原稿給紙トレイ３０に設置された原稿と、ＡＤＦ１００の原稿排紙トレイ１３上の原稿に対し一定の周期で実行されている。
【００３６】
図５（ａ）は、原稿読取処理前のＣＰＵ８０１による原稿台ガラス２０９上や原稿給紙トレイ３０に残留している原稿残留有無検知制御のフローチャートである。
【００３７】
まず、ＣＰＵ８０１は、ＲＡＭ８０３の原稿台ガラス２０９の原稿有無状態や、原稿給紙トレイ３０の原稿有無状態が『１：有』状態に遷移したか否かを判断する（Ｓ５０１）。Ｙｅｓならば、ＣＰＵ８０１はタイマー９０８を使って原稿残留用タイマーをクリアする（Ｓ５０２）。Ｎｏならば、ＥＮＤへ遷移し制御終了。次回の周期で同様の制御を行う。Ｓ５０２の処理を終えた後、原稿残留用タイマーのタイムアウト１０秒を設定し、タイマーをスタートさせる（Ｓ５０３）。次に、原稿残留用タイマーが１０秒以上経過したか否かを判断する（Ｓ５０４）。Ｙｅｓならば、ＲＡＭ８０３の原稿残留有無状態に『１：有』を格納する（Ｓ５１０）。具体的には、原稿台ガラス２０９の原稿有無状態が『１：有』ならば、原稿台ガラス２０９の原稿残留有無状態に『１：有』を格納する。また、原稿給紙トレイ３０の原稿有無状態が『１：有』ならば、原稿給紙トレイ排紙トレイの原稿残留有無状態に『１：有』する。Ｎｏならば、ユーザ操作による原稿のスキャン要求の有無を確認する（Ｓ５０５）。Ｎｏ、つまり、スキャン要求がない場合、ＲＡＭ８０３の原稿有無状態が『０：無』に遷移していないかどうかを確認する（Ｓ５０６）。Ｎｏならば、Ｓ５０４に戻る。Ｙｅｓならば、タイマー９０８の原稿残留用タイマーをクリアし（Ｓ５０７）、ＥＮＤへ遷移し制御終了。次回の周期で同様の制御を行う。Ｓ５０５にてＹｅｓ、つまり、スキャン要求があった場合、原稿読取処理を実行する（Ｓ５０８）。原稿読取処理の詳細については、＜画像読取部２００の構成例＞と＜自動原稿給紙部（ＡＤＦ）１００の構成例＞にて上述したため、ここでの詳細説明は記載しない。次に、ＣＰＵ８０１は原稿読取処理が完了したか否かを確認する（Ｓ５０９）。Ｎｏならば、まだ完了していないため待機する。Ｙｅｓならば、次に原稿読取後の原稿残留有無検知制御に移行する。
【００３８】
次に、図５（ｂ）にて、原稿読取処理後のＣＰＵ８０１による原稿台ガラス２０９上や原稿排紙トレイ１３に残留している原稿残留有無検知制御のフローチャートを説明する。まず、原稿読取処理が完了したのでタイマー９０８の原稿残留用タイマーをクリアする（Ｓ５２１）。次に原稿残留用タイマーのタイムアウト３秒を設定し、タイマーをスタートさせる（Ｓ５２２）。スキャンが原稿台ガラス２０９上の原稿に対するものだった否かを判断する（Ｓ５２３）。Ｙｅｓならば、開閉検知センサ２１１によりＡＤＦ１００が開かれたかどうかを判断する（Ｓ５２４）。Ｙｅｓならば、原稿台ガラス２０９上の原稿を取り除くためにＡＤＦ１００が開かれたものと判断する。加えて、ＡＤＦ１００が閉じられた時に再度原稿有無検知処理を行うため、ＲＡＭ８０３の原稿台ガラス２０９の原稿残留有無状態に『０：無』を格納する（Ｓ５４０）。次に、タイマー９０８の原稿残留用タイマーをクリアする（Ｓ５４１）。Ｓ５２４にて、Ｎｏならば、原稿残留用タイマーが３秒以上経過したか否かを判断する（Ｓ５２５）。Ｎｏならば、Ｓ５２４に回帰する。Ｙｅｓならば、ＲＡＭ８０３の原稿台ガラス２０９の原稿残留有無状態に『１：有』を格納する（Ｓ５２７）。そのままＥＮＤへ遷移し制御終了。次回の周期で同様の制御を行う。
【００３９】
また、Ｓ５２３にてＮｏならば、ＡＤＦ１００の原稿給紙トレイ３０に設置された原稿のスキャンが実行されてことが判断することができるので、原稿残留検知センサ１９により原稿排紙トレイ１３に原稿が残留しているか否かを確認する（Ｓ５２８）。Ｎｏならば、ＲＡＭ８０３の原稿給紙トレイ排紙トレイの原稿残留有無状態に『０：無』を格納する（Ｓ５４０）。次に、タイマー９０８の原稿残留用タイマーをクリアする（Ｓ５４１）。Ｓ５２８にてＹｅｓならば、原稿残留用タイマーが３秒以上経過したか否かを判断する（Ｓ５２９）。Ｎｏならば、Ｓ５２８に回帰する。Ｙｅｓならば、ＲＡＭ８０３の原稿給紙トレイ排紙トレイの原稿残留有無状態に『１：有』を格納する（Ｓ５２７）。そのままＥＮＤへ遷移し制御終了。次回の周期で同様の制御を行う。ちなみに、原稿残留検知センサ１９がＯＦＦになった時点で、原稿排紙トレイ上の原稿が取り除かれたと判断し、ＲＡＭ８０３の原稿給紙トレイ排紙トレイの原稿残留有無状態に『０：無』を格納する。
【００４０】
次に、図６を用いてＣＰＵ８０１の人体検知センサ１０による装置近傍に人がいないことの確定判断制御について説明する。
【００４１】
＜装置近傍に人がいないことの確定判断制御＞
装置近傍に人がいないことの確定判断制御は、画像読取部２００には人体検知センサ１０を用いて一定の周期で実行されている。
【００４２】
まず、タイマー９０８の人体検出用タイマーをクリアする（Ｓ６０１）。次に、人体検知センサ１０が装置近傍に人がいないことを示すＯＦＦを出力しているか否かを判断する（Ｓ６０２）。Ｎｏならば、つまり装置近傍に人がいることを示しており、ＲＡＭ８０３の装置近傍に人がいるかいないかを示す状態に『２：いる』を格納する（Ｓ６０７）。次にＥＮＤへ遷移し制御終了。次回の周期で同様の制御を行う。Ｓ６０２にてＹｅｓならば、つまり装置近傍に人がいないことを示しており、ＲＡＭ８０３の装置近傍に人がいるかいないかを示す状態に『１：いない（確定前）』を格納する（Ｓ６０３）。人体検知センサ１０のＯＦＦ出力に関しては一定の時間監視を行う。そのため、人体検出用タイマーのタイムアウト５秒を設定し、タイマーをスタートさせる（Ｓ６０４）。次に、人体検出用タイマーが５秒以上経過したか否かを判断する（Ｓ６０５）。Ｎｏならば、Ｓ６０２に回帰する。Ｙｅｓならば、装置近傍に人がいないことを確定し、ＲＡＭ８０３の装置近傍に人がいるかいないかを示す状態に『０：いない（確定）』を格納する（Ｓ６０６）。次にＥＮＤへ遷移し制御終了。次回の周期で同様の制御を行う。
【００４３】
次に、本発明にかかわるＣＰＵ８０１の原稿置忘れ報知制御について図７を用いて説明する。
【００４４】
＜原稿置忘れ報知制御＞
まず、ＣＰＵ８０１は、ＲＡＭ８０３の原稿台ガラス２０９や原稿給紙トレイ排紙トレイの原稿残留有無状態を確認し、原稿が残留しているかどうかを判断する（Ｓ７０１）。Ｎｏの場合、つまり原稿が残留していないということなので何もせずＥＮＤへ遷移する。Ｙｅｓの場合、いずれか位置に原稿が残留していることを示している状態において、装置近傍に人がいないことが確定しているかどうかをＲＡＭ８０３にて確認を行う（Ｓ７０２）。Ｎｏの場合、原稿置忘れを報知すべき人が装置近傍にいることがわかっているので原稿置忘れを報知する（Ｓ７０３）。報知方法は、原稿置忘れ報知ＬＥＤ２０５を点灯や、スピーカー９０７による警告音がある。Ｓ７０２にて、Ｙｅｓならば、原稿置忘れを報知すべき人が装置近傍にいないことが確定した状態にある。そこで、既に原稿置忘れを報知しているか否かを判断する（Ｓ７０４）。Ｎｏの場合、原稿置忘れを報知していないため、ＥＮＤへ遷移する。Ｙｅｓの場合、原稿置忘れを報知すべき人が装置近傍にいないにもかかわらず報知していることになり、環境性能上（目障りでない、うるさくない）好ましくない。よって、原稿置忘れの報知を停止する（Ｓ７０５）。本事例は一例であり、装置近傍に報知すべき人がいない場合に報知の出力レベルを落としてもよい。
【００４５】
以上の制御により、仮に原稿が装置に置き忘れた状態にあったとしても、それを通知すべき人がその場にいないならば、目障りでない、うるさくないといった環境性能を優先させることによって快適なオフィス環境を提供することができる。
【符号の説明】
【００４６】
１０００  画像読取装置、１００  ＡＤＦ、２００  画像読取部、３００  コントローラ、
３１０  リーダーＡＤＦコントローラ、Ｓ  原稿束、１  給紙ローラ、２  分離ローラ、
３    引き抜きローラ、４  レジストローラ、５  読取上流ローラ、６  リードローラ、
７  読取下流ローラ、１０  人体検知センサ、１１  排紙センサ、１２  排紙ローラ、
１３  原稿排紙トレイ、１４  原稿有無検知センサ、１５  分離後センサ、
１７  レジセンサ、１８  リードセンサ、１９  原稿残留検知センサ、
２１  分離パッド、３０  原稿給紙トレイ、２０１  表面流し読みガラス、
２０２  光学スキャナユニット、２０３  原稿照射用ＬＥＤ、２０４  ミラー、
２０５  原稿置忘れ報知ＬＥＤ、２０８  画像読取センサ、８２０  分離モータ、
８２１  読取モータ、２０９  原稿台ガラス、２１０  シェーディング白板、
２１１  開閉検知センサ、２１２  副走査長検知センサ、９０４  操作部、
８０１  ＣＰＵ、８０２  ＲＯＭ、８０３  ＲＡＭ、８３３  画像処理部、
９０６  画像メモリ、９０７  スピーカー、９０８  タイマー、
３１  原稿ガイド板
【図１】
2020010176.tif 000003
【図２】
2020010176.tif 000004
【図３】
2020010176.tif 000005
【図４】
2020010176.tif 000006
【図５】
2020010176.tif 000007
【図６】
2020010176.tif 000008
【図７】
2020010176.tif 000009
【図８】
2020010176.tif 000010